(57)【特許請求の範囲】
【請求項１】
一方に開口部を有するように底板と該底板の周縁に設けられ、上部にフランジ部を有する周壁とからなる容器本体と、前記容器本体の開口部とほぼ同じ外形を有する蓋材とからなり、前記容器本体のフランジ部と前記蓋材とを剥離可能な熱接着部で密封した即席食品等を収納する容器において、前記蓋材には、前記熱接着部の内縁より外側に始点と終点とを有し、前記始点から前記熱接着部内側に至って前記終点に戻る前記容器本体側から形成された略Ｕ字状ハーフカットが少なくとも２つ形成されると共に、ｎ番目の略Ｕ字状ハーフカットの終点とｎ＋１番目の略Ｕ字状ハーフカットの始点とは切取手段を介して連結し、１番目の略Ｕ字状ハーフカットの始点と最終番目の略Ｕ字状ハーフカットの終点とからは前記蓋材の周端縁にそれぞれ至る案内用ハーフカットが前記容器本体側から形成され、該案内用ハーフカットの前記蓋材周端縁を付け根部として前記略Ｕ字状ハーフカットと対向する側に突出する第１摘まみ舌片が設けられ、該第１摘まみ舌片を設けた以外の前記蓋材の周端縁に該周端縁から突出する第２摘まみ舌片が設けられ、前記第１摘まみ舌片を前記熱接着部を乗り越えて剥離することにより、前記案内用ハーフカットと前記切取手段と前記略Ｕ字状ハーフカットとが協働して少なくとも２つの独立した湯切口を形成するように構成し、
前記案内用ハーフカットが前記蓋材の周端縁に至るにつれて互いに接近するように形成されると共に、前記第１摘まみ舌片が前記案内用ハーフカットの前記蓋材周端縁を包含するように前記蓋材の周端縁から突出して設けられていることを特徴とする、即席食品等の容器。
【請求項２】
一方に開口部を有するように底板と該底板の周縁に設けられ、上部にフランジ部を有する周壁とからなる容器本体と、前記容器本体の開口部とほぼ同じ外形を有する蓋材とからなり、前記容器本体のフランジ部と前記蓋材とを剥離可能な熱接着部で密封した即席食品等を収納する容器において、前記蓋材には、前記熱接着部の内縁より外側に始点と終点とを有し、前記始点から前記熱接着部内側に至って前記終点に戻る前記容器本体側から形成された略Ｕ字状ハーフカットが少なくとも２つ形成されると共に、ｎ番目の略Ｕ字状ハーフカットの終点とｎ＋１番目の略Ｕ字状ハーフカットの始点とは切取手段を介して連結し、１番目の略Ｕ字状ハーフカットの始点と最終番目の略Ｕ字状ハーフカットの終点とからは前記蓋材の周端縁にそれぞれ至る案内用ハーフカットが前記容器本体側から形成され、該案内用ハーフカットの前記蓋材周端縁を付け根部として前記略Ｕ字状ハーフカットと対向する側に突出する第１摘まみ舌片が設けられ、該第１摘まみ舌片を設けた以外の前記蓋材の周端縁に該周端縁から突出する第２摘まみ舌片が設けられ、前記第１摘まみ舌片を前記熱接着部を乗り越えて剥離することにより、前記案内用ハーフカットと前記切取手段と前記略Ｕ字状ハーフカットとが協働して少なくとも２つの独立した湯切口を形成するように構成し、
前記案内用ハーフカットが前記蓋材の周端縁に至るにつれて互いに乖離するように形成されると共に、前記第１摘まみ舌片が前記案内用ハーフカットの前記蓋材周端縁の両内側の前記蓋材の周端縁を付け根部として突出して設けられていることを特徴とする、即席食品等の容器。
【請求項３】
前記第１摘まみ舌片の両付け根部ないし前記案内用ハーフカットの前記蓋材の両周端縁ないし前記第１摘まみ舌片の両付け根部と前記案内用ハーフカットの前記蓋材周端縁との間の前記蓋材の両周端縁に切り込みが設けられていることを特徴とする、請求項１または２記載の即席食品等の容器。
【請求項４】
前記切取手段が前記熱接着部の内縁と外縁の間に形成されていることを特徴とする、請求項１〜３のいずれか１つに記載の即席食品等の容器。
【発明の詳細な説明】
【０００１】
【発明の属する技術分野】
本発明は、熱湯を容器内に注湯することにより麺体を湯戻しした後に、排湯して適食となる乾燥麺、生麺等の食品を収納した即席食品等の容器に関し、さらに詳しくは、排湯操作を簡便、迅速に行うことができるようにした即席食品等の容器に関するものである。
【０００２】
【従来の技術】
従来の注湯排湯構造の即席食品等の容器、たとえば、即席食品として袋入り生麺、調味料、かやく類等が収納された容器は、まず容器本体からプラスチック蓋を外して、包装袋に収容された生麺、調味料、かやく類等を取り出すと共に、包装袋を開封して取り出した生麺とかやく類を容器本体に戻して熱湯を注湯すると共に、生麺をほぐして後に、再度蓋をして所定時間湯通しし、次に蓋に欠設された切欠を起こして通孔を確保して後、容器を傾けて湯を通孔から排出して湯切りを行い、再度蓋を外して湯通しした麺上に包装袋を開封して調味料を投入し、再度熱湯を注湯すると共に、充分に攪拌して後に、七味等の薬味を加えて食していた。このように、熱湯の注湯と排湯をして適食となる乾燥麺、生麺等の食品を収納した即席食品等の容器には、次のような問題があった。
【０００３】
すなわち、▲１▼容器本体に蓋を着脱する操作が面倒であるといった問題、▲２▼蓋に設けられた切欠を起こして通孔を確保する操作が結構手間であるといった問題、▲３▼手指等で容器を保持して排湯せねばならないが、容器容量に対して湯通し（湯戻し）に必要な湯量が多いために、熱湯をこぼす虞があり細心の注意を払わねばならないといった問題や、こぼした時には軽い火傷を負うといった問題、さらには、▲４▼排湯時、容器を傾けて湯を通孔から排出せねばならないが、湯を含んだ相当な重量の麺が一方に偏在するので、容器本体から蓋が外れないように容器本体と蓋とを所定以上の力で押さえつけなければならないといった問題、また、時には湯通し（湯戻し）した麺を容器からこぼしてしまうといった問題等があり、これらの問題を解決する即席食品等の容器が要望されていた。
【０００４】
【発明が解決しようとする課題】
そこで本発明は、かかる問題点に鑑みてなされたものであり、その目的とするところは、注湯排湯して適食となる即席焼きそばに代表される乾燥麺、生麺等を収納する即席食品等の容器であって、排湯操作の手間がかからずに簡便、迅速に、かつ、確実、安全に行うことができる即席食品等の容器を提供することにある。
【０００５】
【課題を解決するための手段】
上記目的を達成するために、本発明の即席食品等の容器は、一方に開口部を有するように底板と該底板の周縁に設けられ、上部にフランジ部を有する周壁とからなる容器本体と、前記容器本体の開口部とほぼ同じ外形を有する蓋材とからなり、前記容器本体のフランジ部と前記蓋材とを剥離可能な熱接着部で密封した即席食品等を収納する容器において、前記蓋材には、前記熱接着部の内縁より外側に始点と終点とを有し、前記始点から前記熱接着部内側に至って前記終点に戻る前記容器本体側から形成された略Ｕ字状ハーフカットが少なくとも２つ形成されると共に、ｎ番目の略Ｕ字状ハーフカットの終点とｎ＋１番目の略Ｕ字状ハーフカットの始点とは切取手段を介して連結し、１番目の略Ｕ字状ハーフカットの始点と最終番目の略Ｕ字状ハーフカットの終点とからは前記蓋材の周端縁にそれぞれ至る案内用ハーフカットが前記容器本体側から形成され、該案内用ハーフカットの前記蓋材周端縁を付け根部として前記略Ｕ字状ハーフカットと対向する側に突出する第１摘まみ舌片が設けられ、該第１摘まみ舌片を設けた以外の前記蓋材の周端縁に該周端縁から突出する第２摘まみ舌片が設けられ、前記第１摘まみ舌片を前記熱接着部を乗り越えて剥離することにより、前記案内用ハーフカットと前記切取手段と前記略Ｕ字状ハーフカットとが協働して少なくとも２つの独立した湯切口を形成するように構成したことを特徴とするものである。このように構成することにより、第１摘まみ舌片を手指で摘んで捲り上げることにより、複数の湯切口を一動作で設けることができる。また、第１摘まみ舌片を摘んで捲り上げるだけで、誰でも同じ大きさの湯切口を確実に得ることができ、従来のように蓋に欠設された切欠を起こして排湯のための通孔を確保する場合に生じた湯切口の大きさのバラツキによる湯切り時間や残湯量に差を生じることがなく、メーカーが狙った食味や食感を誰もが等しく得ることができる。また、湯切時には、湯切口と注湯口を設けた以外の箇所は容器本体と蓋材とが熱接着により接着されているために取扱が容易であり、従来のように注湯した熱湯をこぼすこともなく、また、容器本体と蓋材とを強い力で押さえる必要もなく、さらに湯切り時に湯戻しした麺をこぼすこともない。また、メーカーが求める食味や食感を得ることができるように略Ｕ字状ハーフカットの幅や長さ、あるいは、湯切口の個数や湯切口の配置等は麺の太さや湯切り時間等を考慮して、適宜設けることができる。
【０００６】
また、上記構成の即席食品等の容器において、前記案内用ハーフカットが前記蓋材の周端縁に至るにつれて互いに接近するように形成されると共に、前記第１摘まみ舌片が前記案内用ハーフカットの前記蓋材周端縁を包含するように前記蓋材の周端縁から突出して設けられていることを特徴とするものである。このように構成することにより、蓋材を製造する時の生産性が向上する。
【０００７】
また、前記案内用ハーフカットが前記蓋材の周端縁に至るにつれて互いに乖離するように形成されると共に、前記第１摘まみ舌片が前記案内用ハーフカットの前記蓋材周端縁の両内側の前記蓋材の周端縁を付け根部として突出して設けられていることを特徴とするものである。このように構成することにより、蓋材を製造する時の生産性が向上する。
【０００８】
また、前記第１摘まみ舌片の両付け根部ないし前記案内用ハーフカットの前記蓋材の両周端縁ないし前記第１摘まみ舌片の両付け根部と前記案内用ハーフカットの前記蓋材周端縁との間の前記蓋材の両周端縁に切り込みが設けられていることを特徴とするものである。このように構成することにより、一層スムーズに湯切口を設けることができる。
【０００９】
また、前記切取手段が前記熱接着部の内縁と外縁の間に形成されていることを特徴とするものである。このように構成することにより、切取手段の選択肢が広がる共に、一層スムーズに湯切口を設けることができる。
【００１０】
【発明の実施の形態】
上記の本発明について、具体的な実施形態を図面等を用いて以下に更に詳しく説明する。
図１は本発明にかかる即席食品等の容器の一実施例を示す概略斜視図、図２は本発明にかかる即席食品等の容器の第１実施形態を示す平面図、図３はその使用状態を示す説明図、図４は本発明にかかる即席食品等の容器の第２実施形態を示す要部平面図、図５は本発明にかかる即席食品等の容器の第３実施形態を示す要部平面図、図６は本発明にかかる蓋材の層構成図であり、図中の１，１’，１''は即席食品等の容器、２は熱接着部、３，３’は第１摘まみ舌片、４は第２摘まみ舌片、６，７，６’，７’は略Ｕ字状ハーフカット、８は切取手段、10，10’，10''は蓋材、20は容器本体、21はフランジ部、31，31’は第１摘まみ舌片の付け根部、40は基材、50は熱接着性接着層、66，66’，77，77’は案内用ハーフカット、α1 ，β1 は始点、α2 ，β2 は終点をそれぞれ示す。
【００１１】
図１は本発明にかかる即席食品等の容器の一実施例を示す概略斜視図であって、即席食品等の容器１は、一方に円形状の開口部を有する丼状の容器本体20と、該容器本体20の開口部とほぼ同じ外形を有する蓋材10とからなり、前記容器本体20の開口縁部に設けられたフランジ部21と前記蓋材10とを剥離可能な熱接着部２で密封した構成からなり、さらに、前記蓋材10にはその一つの端縁から外方に突出する第１摘まみ舌片３が形成されると共に、前記第１摘まみ舌片と略対向する位置に第２摘まみ舌片４が形成されている。
【００１２】
図２は本発明にかかる即席食品等の容器の第１実施形態を示す平面図、すなわち、図１に示す即席食品等の容器を蓋材側から見た図であって、即席食品等の容器１の前記蓋材10には、前記熱接着部２内に始点α1 と終点α2 を有し、前記始点α1 から前記熱接着部２の内側に至って前記終点α2 に戻る前記容器本体側から形成された略Ｕ字状ハーフカット６と、前記熱接着部２内に始点β1 と終点β2 を有し、前記始点β1 から前記熱接着部２の内側に至って前記終点β2 に戻る前記容器本体側から形成された略Ｕ字状ハーフカット７とが前記第１摘まみ舌片３の両付け根部31、31間を２等分する点と蓋材10の中心点を結ぶ線に線対称となるように略ハの字状に設けられると共に、前記略Ｕ字状ハーフカット６の終点α2 と前記略Ｕ字状ハーフカット７の始点β1 とは略コの字状の切取手段８、たとえば、切刃ないしミシン目ないし前記容器本体側から設けられたハーフカットにより連結され、さらに前記略Ｕ字状ハーフカット６の始点α1 及び前記略Ｕ字状ハーフカット７の終点β2 からは前記略Ｕ字状ハーフカット６及び前記略Ｕ字状ハーフカット７をそれぞれ延長した案内用ハーフカット66、77が前記第１摘まみ舌片３の両付け根部31、31の内側を通って前記第１摘まみ舌片３に至るように形成され、前記第１つまみ舌片３を前記熱接着部２を乗り越えて剥離することにより、前記案内用ハーフカット66、77と前記切取手段８と前記略Ｕ字状ハーフカット６、７とが協働して前記蓋材10に略Ｕ字状の２つの湯切口を形成するようにしたものである。ところで、前記案内用ハーフカット66、77は前記第１摘まみ舌片３の両付け根部31、31の内側を通るように形成したが、要するに前記案内用ハーフカット66、77は前記第１摘まみ舌片３を手指等で摘んで湯切口を設ける動作をしたときに、前記第１摘まみ舌片３は前記両付け根部31、31から通常は切断されることになり、この切断線が突き当たるように構成されていればよい。なお、前記案内用ハーフカット66、77が前記第１摘まみ舌片３の両付け根部31、31を通るように形成されているのが最適な形成位置であるが、生産性を考慮すると前記案内用ハーフカット66、77は前記第１摘まみ舌片３の両付け根部31、31の内側を通るように形成するのが望ましい。なお、図２において、始点α1 、β1 と終点α2 、β2 を・印で示したが、説明の便宜上で示したものであり、本発明の即席食品等の容器には存在しないものである。これ以後に説明する図においても上記と同様である。
【００１３】
次に、本発明の即席食品等の容器の使用方法について、即席食品が即席生麺（うどん）の場合を例に挙げて、図２に示す本発明の第１実施形態の即席食品等の容器を用いて説明する（生麺等の内容物は図示せず）。まず、図１に示す本発明の即席食品等の容器１の蓋材10に設けられた第２摘まみ舌片４を手指で摘んで捲り上げて、容器本体20から約１／２程度まで前記蓋材10を剥離して、容器１内に収納された袋入り生麺、調味料、かやく類等を取り出すと共に注湯口Ａを設け〔図３（ａ）参照〕、次に袋を開封して取り出した生麺とかやく類等を容器本体に戻して前記注湯口Ａから内部に所要量熱湯を注湯すると共に、生麺をほぐして後に、前記蓋材10の前記剥離した部分を再度容器に被せ（図１に示すような状態）、この状態で所要時間調理して後に（湯通しして後に）、次に前記蓋材10に設けられた第１摘まみ舌片３を手指で摘んで捲り上げると、まず前記第１摘まみ舌片３の両付け根部31、31の部分が切断し、この切断が案内用ハーフカット66、77に達すると該案内用ハーフカット66、77に沿って切断が進むと共に熱接着部２が該熱接着部２の外縁から剥離され、切取手段８に達すると該切取手段８により前記蓋材２の捲り上げた部分が分岐し、次に略Ｕ字状ハーフ６、７に沿って切断が進み、最終的には前記第１摘まみ舌片３を含む捲り上げた部分を取り去ることにより、前記蓋材10に略Ｕ字状の２つの湯切口が形成され、この湯切口が下側にとなるように傾けて、この湯切口から容器１内の残湯を図３（ｂ）に示すように排出し（容器１の保持手段は図示せず）、その後、容器本体20から蓋材10を全部捲り取って容器開口部を露出させ、湯通しした麺上に包装袋を開封して調味料を投入し、再度熱湯を所要量注湯すると共に、十分に攪拌して後に、七味等の薬味を加えて喫食する。このように、残湯を排出する湯切口が容器１の蓋材10に設けられた前記略Ｕ字状ハーフカット６、７の形状をした切欠部で形成されているために、従来技術の項で説明した▲１▼、▲２▼、▲３▼、▲４▼の問題が生じることはない。
【００１４】
また、前記第１摘まみ舌片３の両付け根部31、31にＩやＶ字状からなるノッチ等の切り込みを設けることも可能であり、このような切り込みを設けることにより、略Ｕ字状をした湯切口を一層スムーズに設けることができる。なお、説明を省略したが、本発明の即席食品等の容器１は、通常は、本容器１を使用する時まで、容器１に塵埃等の異物が付着しないように、また、改鼠防止を目的として容器１全体が熱収縮フィルム等で被覆されて保護されている。
【００１５】
このような容器１に用いる容器本体20の構成としては、ポリスチレンペーパー、ハイインパクトポリスチレンシート、ポリプロピレンシート、ポリアミドとポリエチレンないしポリプロピレンとの積層シート、ポリエチレンとポリプロピレンとの積層シート等を周知の真空成形法や圧空成形法で成形して容器としたもの、ポリプロピレン、ポリスチレン等の射出成形用樹脂を射出成形して容器としたもの、あるいは、発泡スチレン製容器、紙製容器、あるいは、これらからなる二重容器などの熱湯により調理する即席食品用容器として用いられている周知のものを挙げることができる。
【００１６】
また、前記蓋材10としては、図６に示すように、基材40の一方の面に熱接着性接着層50を設けた構成からなる積層材であって、前記基材40としては、紙、アルミニウム等の金属箔、あるいは、ポリプロピレン等のオレフィン系樹脂やポリエステル、ポリアミド等の合成樹脂製シート（合成紙を含む）の単体ないしこれらの組み合わせによる積層体を挙げることができる。また、前記熱接着性接着層50としては、ポリエチレン、ポリプロピレン、エチレン−プロピレン共重合体、エチレン−酢酸ビニル共重合体、アイオノマー樹脂、塩化ビニル−酢酸ビニル共重合体、アクリル酸樹脂、メタクリル酸樹脂、エチレン−アクリル酸共重合体、エチレン−メタクリル酸共重合体、エチレン−アクリル酸エステル共重合体、エチレン−メタクリル酸エステル共重合体、ポリエステル樹脂等の単体ないし複合体を挙げることができる。これらの樹脂は、容器本体の構成に応じて、易開封性となるものを適宜選択して用いればよい。また、基材40には、通常印刷層が設けられている。
【００１７】
また、前記蓋材10に設ける案内用ハーフカット66、77や略Ｕ字状ハーフカット６、７は、前記熱接着性接着層50側から前記基材40の他方の面側の最表層の一部を少なくとも残すように設けられており、従来のプラスチック蓋からなる即席食品等の容器のように蓋の表面に切目や孔がないので見栄えもよく、また、容器内は密封された状態であり、埃やゴミなどが容器内に入る虞もなく、極めて衛生的である。
【００１８】
また、前記蓋材10に設ける切取手段８は本第１の実施形態においては熱接着部２内に設けられており、切刃ないしミシン目ないし前記案内用ハーフカット66、77や前記略Ｕ字状ハーフカット６、７と同じように構成したハーフカットのいずれを用いてもよく、いずれを用いても容器内は密封された状態であり、埃やゴミなどが容器内に入る虞はない。
【００１９】
図４は本発明にかかる即席食品等の容器の第２実施形態を示す図２に対応する要部平面図であって、即席食品等の容器１’は、図２に示した第１の実施形態の容器１の蓋材10に設けた略Ｕ字状ハーフカット６、７は第１摘まみ舌片３の両付け根部31、31間を２等分する点と蓋材10の中心点を結ぶ線に線対称となるように略ハの字状に構成したが、これを前記第１摘まみ舌片３の両付け根部31、31間を２等分する点と蓋材10の中心点を結ぶ線に線対称な２本の平行な略Ｕ字状ハーフカット６’、７’とした以外は前記蓋材10と同じ構成の蓋材10’からなるものでる。この第２実施形態において、湯切口を設けるために前記第１摘まみ舌片３を手指で摘んで捲り上げたときに前記第１摘まみ舌片３の両付け根部31、31から切断されることになるために、この切断の延長線が前記案内用ハーフカット66、77と突き当たる位置に前記第１摘まみ舌片３の両付け根部31、31がくるように前記第１摘まみ舌片３を設ける必要がある。より望ましくは前記案内用ハーフカット66、77の両外側近傍に前記第１摘まみ舌片３の両付け根部31、31がくるように構成する。また、この第２実施形態の容器１’においても、前記第１摘まみ舌片３の両付け根部31、31にＩやＶ字状からなるノッチ等の切り込みを設けることにより、略Ｕ字状をした湯切口を一層スムーズに設けることができる。使用方法については、第１の実施形態と同じであり説明は省略する。
【００２０】
図５は本発明にかかる即席食品等の容器の第３実施形態を示す図２に対応する要部平面図であって、即席食品等の容器１''は、図２に示した第１の実施形態の容器１の蓋材10に設けた略Ｕ字状ハーフカット６、７が図４の第２の実施形態で示した略Ｕ字状ハーフカット６’、７’で構成され、かつ、前記略Ｕ字状ハーフカット６の始点α1 、および、前記略Ｕ字状ハーフカット７の終点β2 から前記蓋材10の周端縁に至るにつれて互いに乖離するように形成された案内用ハーフカット66’、77’で構成され、さらに、前記案内用ハーフカット66’、77’の蓋材周端縁の両内側に付け根部31’、31’を有する第１摘まみ舌片３’からなる以外は前記蓋材10と同じ構成の蓋材10''からなるものである。この第３実施形態において、湯切口を設けるために前記第１摘まみ舌片３’を手指で摘んで捲り上げたときに前記第１摘まみ舌片３’の両付け根部31’、31’から切断されることになるために、この切断の延長線が前記案内用ハーフカット66’、77’と突き当たる位置に前記第１摘まみ舌片３’の両付け根部31’、31’がくるように前記第１摘まみ舌片３’を設ける必要がある。より望ましくは前記案内用ハーフカット66’、77’の両内側近傍に前記第１摘まみ舌片３’の両付け根部31’、31’がくるように構成する。また、この第２実施形態の容器１''においても、前記第１摘まみ舌片３’の両付け根部31’、31’にＩやＶ字状からなるノッチ等の切り込みを設けることにより、略Ｕ字状をした湯切口を一層スムーズに設けることができる。また、使用方法については第１の実施形態と同じであり説明は省略する。
【００２１】
なお、第２、第３実施形態においても第１実施形態同様に、案内用ハーフカット66、77（66’、77’）が前記第１摘まみ舌片３（３’）の両付け根部31、31（31’、31’）を通るように形成されているのが最適な形成位置であるが、生産性を考慮すると、第２、第３実施形態のように構成するのが望ましい。
【００２２】
ところで、今までは切取手段８が熱接着部２内にある場合を説明してきたが、前記切取手段８が前記熱接着部２の外縁より外側に位置するように形成されていてもよく、図示はしないが、この場合には、前記切取手段８の部分が容器本体20と熱接着しておらず、フリーの状態で存在するために、前記切取手段８としてハーフカットを用いると本発明の意図する切取手段８とはならず、すなわち、前記切取手段８から的確に切ることが難しく、この場合はミシン目ないし切刃が必須の切取手段となる。
【００２３】
また、今までは、２つの湯切口を設ける場合を説明してきたが、本発明の即席食品等の容器は、これに限るものではなく、３つの以上の湯切口を設ける場合にも適用することができる。
【００２４】
【発明の効果】
本発明は、今まで縷々説明したように、注湯排湯して適食となる即席焼きそばに代表される乾燥麺、生麺等を収納する即席食品等の容器であって、排湯操作の手間がかからずに簡便、迅速に、かつ、確実、安全に行うことができるという効果を奏するものであり、また、湯切り時間や残湯量に個人差がなく、良好な食味や食感を一様に得ることができるという効果を奏するものである。
【図面の簡単な説明】
【図１】本発明にかかる即席食品等の容器の一実施例を示す概略斜視図である。
【図２】本発明にかかる即席食品等の容器の第１実施形態を示す平面図である。
【図３】その使用状態を示す説明図である。
【図４】本発明にかかる即席食品等の容器の第２実施形態を示す要部平面図である。
【図５】本発明にかかる即席食品等の容器の第３実施形態を示す要部平面図である。
【図６】本発明にかかる蓋材の層構成図である。
【符号の説明】
１，１’，１''      即席食品等の容器
２                  熱接着部
３，３’            第１摘まみ舌片
４                  第２摘まみ舌片
６，６’，７，７’  略Ｕ字状ハーフカット
８                  切取手段
10，10’，10''      蓋材
20                  容器本体
21                  フランジ部
31，31’            第１摘まみ舌片の付け根部
40                  基材
50                  熱接着性接着層
66，66’，77，77’  案内用ハーフカット
α1 ，β1           始点
α2 ，β2           終点
【図１】
0004125839.tif 000002
【図２】
0004125839.tif 000003
【図３】
0004125839.tif 000004
【図４】
0004125839.tif 000005
【図５】
0004125839.tif 000006
【図６】
0004125839.tif 000007